(57)【要約】【課題】籾殻運搬用コンテナをトラックの荷台に搭載し、複数個の枠杆体及び収納シート体により覆い形成された収納部内の籾殻を排出する際、枠杆体を荷台の上面からトラックのアオリ部の上面までの高さの範囲内で嵩上げ可能な嵩上部材を設けてなるから、嵩上部材により枠杆体を嵩上げすることにより、籾殻の収納量を増やすことができる。【解決手段】トラック１の荷台２の上面２ａの左右のアオリ部１ａの内側に並列状に立設可能な縦杆部３ａ及び荷台の上方位置にして左右の縦杆部間に設けられた横杆部３ｂからなる複数個の枠杆体３と、複数個の枠杆体に配置され、籾殻Ｗを収納可能な収納部６を覆い形成する収納シート体５とからなり、枠杆体を荷台の上面からトラックのアオリ部の上面１ｂまでの高さＨの範囲内で嵩上げ可能な嵩上部材７を設けてなる。【選択図】図１
2011011719.tif 000002
【特許請求の範囲】
【請求項１】
トラックの荷台の上面の左右のアオリ部の内側に並列状に立設可能な縦杆部及び該荷台の上方位置にして該左右の縦杆部間に設けられた横杆部からなる複数個の枠杆体と、該複数個の枠杆体に配置され、籾殻を収納可能な収納部を覆い形成する収納シート体とからなり、上記枠杆体を上記荷台の上面から上記トラックのアオリ部の上面までの高さの範囲内で嵩上げ可能な嵩上部材を設けてなることを特徴とする籾殻運搬用コンテナ。
【請求項２】
上記嵩上部材は上記縦杆部の下端部に固定される脚部材からなることを特徴とする請求項１記載の籾殻運搬用コンテナ。
【請求項３】
上記嵩上部材は上記縦杆部の中間部分に継合される継合部材からなることを特徴とする請求項１記載の籾殻運搬用コンテナ。
【請求項４】
上記並列する複数個の枠杆体の隣り合う縦杆部間に一対のリンク杆を中心枢軸により枢着してなるＸ状リンクを配設してなることを特徴とする請求項１〜３のいずれか１項に記載の籾殻運搬用コンテナ。
【発明の詳細な説明】
【技術分野】
【０００１】
本発明は例えば軽トラックの荷台に搭載されて、籾殻の運搬に用いられる籾殻運搬用コンテナに関するものである。
【背景技術】
【０００２】
この種の籾殻運搬用コンテナとして、トラックの荷台の上面の左右のアオリ部の内側に並列状に立設可能な縦杆部及び荷台の上方位置にして該左右の縦杆部間に設けられた横杆部からなる複数個の枠杆体と、該並列する複数個の枠杆体の隣り合う縦杆部間に配設され、一対のリンク杆を中心枢軸により枢着してなるＸ状リンクと、該複数個の枠杆体に配置され、籾殻を収納可能な収納部を覆い形成する収納シート体とからなる構造のものが知られている。
【先行技術文献】
【特許文献】
【０００３】
【特許文献１】特開２００７−３３１６２７号公報
【発明の概要】
【発明が解決しようとする課題】
【０００４】
しかしながらこれら上記従来構造の場合、上記枠杆体の高さは製作当初の仕様により決定され、このため、枠杆体内に収納可能な籾殻の最大量は必然的に定まり、しかして、さらなる収納量の増量の要求を満たすには、新たな増量仕様の籾殻運搬用コンテナを製作、購入しなければならないことがあるという不都合を有している。
【課題を解決するための手段】
【０００５】
本発明はこのような不都合を解決することを目的とするもので、本発明のうちで、請求項１記載の発明は、トラックの荷台の上面の左右のアオリ部の内側に並列状に立設可能な縦杆部及び該荷台の上方位置にして該左右の縦杆部間に設けられた横杆部からなる複数個の枠杆体と、該複数個の枠杆体に配置され、籾殻を収納可能な収納部を覆い形成する収納シート体とからなり、上記枠杆体を上記荷台の上面から上記トラックのアオリ部の上面までの高さの範囲内で嵩上げ可能な嵩上部材を設けてなることを特徴とする籾殻運搬用コンテナにある。
【０００６】
又、請求項２記載の発明は、上記嵩上部材は上記縦杆部の下端部に固定される脚部材からなることを特徴とするものであり、又、請求項３記載の発明は、上記嵩上部材は上記縦杆部の中間部分に継合される継合部材からなることを特徴とするものであり、又、請求項４記載の発明は、上記並列する複数個の枠杆体の隣り合う縦杆部間に一対のリンク杆を中心枢軸により枢着してなるＸ状リンクを配設してなることを特徴とするものである。
【発明の効果】
【０００７】
本発明は上述の如く、請求項１記載の発明にあっては、籾殻運搬用コンテナをトラックの荷台に搭載し、複数個の枠杆体及び収納シート体により覆い形成された収納部内に、例えば、籾摺機等の導入ダクトを介して収納部内に籾殻を空気流により詰入収納し、収納完了後、トラックの運転により籾殻を所定位置に運搬し、運搬後、収納部内の籾殻を排出することになり、この際、上記枠杆体を上記荷台の上面から上記トラックのアオリ部の上面までの高さの範囲内で嵩上げ可能な嵩上部材を設けてなるから、嵩上部材により上記枠杆体を嵩上げすることにより、籾殻の収納量を増やすことができ、上記荷台の上面から上記トラックのアオリ部の上面までの高さの範囲内での嵩上げであるから、収納シート体により囲われた収納部からの籾殻の流出をアオリ部により確実に防ぐことができ、したがって、新たな増量仕様の籾殻運搬用コンテナを製作したり、購入したりすることなく、容易に収納量の増大を図ることができ、使用の利便性を高めることができる。
【０００８】
又、請求項２記載の発明にあっては、上記嵩上部材は上記縦杆部の下端部に固定される脚部材からなるので、上記枠杆体を容易に嵩上げすることができ、又、請求項３記載の発明にあっては、上記嵩上部材は上記縦杆部の中間部分に継合される継合部材からなるので、上記枠杆体を容易に嵩上げすることができ、又、請求項４記載の発明にあっては、上記並列する複数個の枠杆体の隣り合う縦杆部間に一対のリンク杆を中心枢軸により枢着してなるＸ状リンクが設けられているから、保管時等の不使用時においては、各枠杆体を互いに近接離反移動させて畳むことができ、荷台の長さサイズに対応することもでき、さらに、不可避的に荷台上に残った籾殻の掻き出しに当たっても、各枠杆体を互いに近接移動させることにより荷台が外部に露出した状態で籾殻を掻き出すことができる。
【図面の簡単な説明】
【０００９】
【図１】本発明の実施の第一形態例の全体側面図である。
【図２】本発明の実施の第一形態例の全体斜視図である。
【図３】本発明の実施の第一形態例の部分斜視図である。
【図４】本発明の実施の第一形態例の部分拡大斜視図である。
【図５】本発明の実施の第一形態例の部分拡大断面図である。
【図６】本発明の実施の第二形態例の部分斜視図である。
【図７】本発明の実施の第二形態例の部分拡大斜視図である。
【図８】本発明の実施の第二形態例の部分拡大断面図である。
【図９】本発明の実施の第二形態例の部分拡大断面図である。
【発明を実施するための形態】
【００１０】
図１乃至図９は本発明を実施の形態例であって、図１乃至図５は第一形態例、図６乃至図９は第二形態例である。
【００１１】
図１乃至図５の第一形態例において、１はトラック、２は荷台、３は枠杆体であって、この場合、四個の枠杆体３・３・・が用いられ、枠杆体３は荷台２の上面の左右のアオリ部１ａ・１ａ及びほぼ同じ高さの後部のアオリ部１ｃ並びに前部の壁体１ｄの内側に並列状に立設可能な縦杆部３ａ・３ａ及び荷台２の上方位置にして左右の縦杆部３ａ・３ａ間に設けられた横杆部３ｂからなり、荷台２の前後に位置する枠杆体３の縦杆部３ａ・３ａに挿通筒３ｃ・３ｃを固定し、挿通筒３ｃ・３ｃ間に補強杆３ｄ・３ｄを架設している。
【００１２】
４はＸ状リンクであって、この場合、上記並列する四個の枠杆体３・３・・の隣り合う縦杆部３ａ・３ａ間に三個配設され、このＸ状リンク４は一対のリンク杆４ａ・４ａを中心枢軸４ｂにより枢着して構成されている。
【００１３】
この場合、上記Ｘ状リンク４の一対のリンク杆４ａ・４ａの一方端部たる上方端部を対向する縦杆部３ａ・３ａに挿通固定した固定筒体３ｅにピン３ｆにより枢着状態で連結すると共にＸ状リンク４の一対のリンク杆４ａ・４ａの他方端部たる下方端部を対向する縦杆部３ａ・３ａに摺動自在に挿通した摺動筒体３ｇにピン３ｈにより枢着状態で連結し、かつ、縦杆部３ａ・３ａに摺動筒体３ｇの上限位置を定めるストッパー筒体３ｊを挿通固定して構成している。
【００１４】
しかして、上記Ｘ状リンク４の一対のリンク杆４ａ・４ａの中心枢軸４ｂを中心とする回動及び一対のリンク杆４ａ・４ａの他方端部の縦杆部３ａ・３ａに対する摺動により上記各枠杆体３・３・・を近接離反移動することになる。
【００１５】
５は収納シート体であって、この場合、柔軟性をもつ合成樹脂製にして、上面板部５ａ、前面板部５ｂ、後面板部５ｃ及び左右の側面板部５ｄ・５ｄの構成部材からなる底面が開口した覆い袋状に形成され、この収納シート体５を四個の枠杆体３・３・・に止着することにより籾殻Ｗを収納可能な収納部６を形成している。尚、上記収納シート体５は網体等により形成することもある。
【００１６】
この場合、上記収納シート体５の構成部材である上面板部５ａは空気が良好に通過可能なシート材により形成され、かつ、上面板部５ａに籾殻Ｗを導入するための図示省略の導入ダクトが挿入可能な開閉ファスナー部Ｍが形成され、後面板部５ｃに籾殻Ｗを導入するための図示省略の導入ダクトが挿入可能であると共に収納部６内の籾殻Ｗを排出するための開閉ファスナー部Ｍが形成され、さらに、左右の側面板部５ｄ・５ｄに収納部６内の籾殻Ｗを排出するための開閉ファスナー部Ｎ・Ｎが形成されている。この場合、開閉ファスナー部Ｍ・Ｎは、所謂スライドファスナーとなっているが、その他の構造のファスナーであってもよい。
【００１７】
７は嵩上部材であって、この場合、上記縦杆部３ａの下端部に固定される脚部材Ｐからなり、脚部材Ｐは脚筒Ｐ1の外周面に縦杆部３ａが挿通可能な受筒Ｐ2を溶接固定し、受筒Ｐ2に固定ボルトＰ3を設けてなり、縦杆部３ａの下端面が脚筒Ｐ1の上端面に当接した状態において、上記枠杆体３を上記荷台２の上面２ａから上記トラック１のアオリ部１ａの上面１ｂまでの高さＨの範囲内で嵩上げ可能な寸法の構造になっている。
【００１８】
この実施の第一形態例は上記構成であるから、上記構造の籾殻運搬用コンテナＦをトラック１の荷台２に搭載し、例えば、図示省略の籾摺機等の導入ダクトを開閉ファスナー部Ｍに挿通し、導入ダクトを介して、複数個の枠杆体３及び収納シート体５により覆い形成された収納部６内に籾殻Ｗを空気流により詰入収納し、収納完了後、トラック１の運転により籾殻Ｗを所定位置に運搬し、運搬後、収納部６内の籾殻Ｗを排出することになり、この際、上記枠杆体３を上記荷台２の上面２ａから上記トラック１のアオリ部１ａの上面１ｂまでの高さＨの範囲内で嵩上げ可能な嵩上部材７を設けてなるから、嵩上部材７により上記枠杆体３を嵩上げすることにより、籾殻Ｗの収納量を増やすことができ、上記荷台２の上面２ａから上記トラック１のアオリ部１ａの上面１ｂまでの高さＨの範囲内での嵩上げであるから、収納シート体５により囲われた収納部６からの籾殻Ｗの流出をアオリ部１ａにより確実に防ぐことができ、したがって、新たな増量仕様の籾殻運搬用コンテナを製作したり、購入したりすることなく、容易に収納量の増大を図ることができ、使用の利便性を高めることができる。
【００１９】
又、この場合、上記嵩上部材７は上記縦杆部３ａの下端部に固定される脚部材Ｐからなるので、上記第一形態例と同様な作用効果を得ることができると共に上記枠杆体３を容易に嵩上げすることができ、また、この場合、上記並列する複数個の枠杆体３・３・・の隣り合う縦杆部３ａ・３ａ間に一対のリンク杆４ａ・４ａを中心枢軸４ｂにより枢着してなるＸ状リンク４が設けられ、このＸ状リンク４の一対のリンク杆４ａ・４ａの一方端部を対向する縦杆部３ａに枢着状態で位置固定連結すると共に他方端部を対向する縦杆部３ａに枢着状態で摺動自在に連結し、複数個の枠杆体３・３・・に収納シート体５を配置してなるから、保管時等の不使用時においては、各枠杆体３・３・・を互いに近接離反移動させて畳むことができ、荷台２の長さサイズに対応することもでき、さらに、不可避的に荷台２上に残った籾殻Ｗの掻き出しに当たっても、各枠杆体３・３・・を互いに近接移動させることにより荷台２が外部に露出した状態で籾殻Ｗを掻き出すことができる。
【００２０】
図６乃至図９の第二形態例は別例構造を示し、この場合、上記嵩上部材７は上記縦杆部３ａの中間部分に継合される継合部材Ｑからなり、継合部材Ｑは、継合筒Ｑ1の両端部外周面に中間部分を切断した縦杆部３ａの各端部Ｋ・Ｋが挿通可能な受筒Ｑ2・Ｑ2を溶接固定し、受筒Ｑ2・Ｑ2に固定ボルトＱ3を設けてなり、縦杆部３ａの各端部Ｋ・Ｋが継合筒Ｑ1の両端面に当接した状態において、上記枠杆体３を上記荷台２の上面２ａから上記トラック１のアオリ部１ａの上面１ｂまでの高さＨの範囲内で嵩上げ可能な寸法の構造になっている。
【００２１】
この第二形態例にあっても、上記第一形態例と同様な作用効果を得ることができると共に上記枠杆体３を容易に嵩上げすることができる。
【００２２】
尚、本発明は上記実施の形態例に限られるものではなく、例えば枠杆体３、Ｘ状リンク４、収納シート体５、嵩上部材７の大きさ、形態、構造、材質等はトラックの荷台等に応じて適宜変更して設計されるものである。
【００２３】
以上、所期の目的を充分達成することができる。
【符号の説明】
【００２４】
Ｐ    脚部材
Ｈ    高さ
Ｑ    継合部材
１    トラック
１ａ    アオリ部
１ｂ    上面
２    荷台
２ａ    上面
３    枠杆体
３ａ    縦杆部
３ｂ    横杆部
４    Ｘ状リンク
４ａ    リンク杆
４ｂ    中心枢軸
５    収納シート体
６    収納部
７    嵩上部材
【図１】
2011011719.tif 000003
【図２】
2011011719.tif 000004
【図３】
2011011719.tif 000005
【図４】
2011011719.tif 000006
【図５】
2011011719.tif 000007
【図６】
2011011719.tif 000008
【図７】
2011011719.tif 000009
【図８】
2011011719.tif 000010
【図９】
2011011719.tif 000011